(57)【要約】【構成】本発明は、脱塵装置を通過する粒状材料から粉塵およびデブリを除去する半円形の脱塵装置に関する。脱塵装置はその構成において半円形の円筒形ハウジングを有し、このハウジングに上下動して、洗浄デッキ上を通過する粒状材料の流速を変更できる逆円錐形で部分円錐形の偏向部材を有する部分円錐形洗浄デッキを取り付ける。製品送込みポートとしては円形が好ましく、混入物を含有する粒状材料を偏向部材の内部に誘導し、洗浄デッキの表面上に流す。このハウジングは直径が洗浄デッキの最大直径よりも大きいため、洗浄デッキの周囲にベンチュリ帯を形成できる。洗浄デッキおよび偏向部材はハウジング内に着脱自在に取り付けることができ、これらを取り外すと、洗浄デッキおよびハウジング内部の洗浄が容易になる。【選択図】図１
2018196882.tif 000002
【特許請求の範囲】
【請求項１】
混入物を含有する粒状材料から混入物を洗浄除去する脱塵装置であって、
半円筒形の正面ハウジングを有するハウジング、
粒状材料を前記ハウジングに導入する製品送込み管を有する製品送込みポートおよび粒状材料を前記ハウジングから排出する製品排出ポート、および
前記製品送込み管に位置を合わせて設けた先端で終端する部分円錐形洗浄デッキであって、前記の混入物を含有する粒状材料の流れをこの部分円錐形洗浄デッキに均一に誘導し、前記正面ハウジングから内側に離間する外周底部エッジを有し、前記洗浄デッキと前記正面ハウジングとの間を通過する空気の流れのベンチュリ帯を形成する洗浄デッキを有し、
前記洗浄デッキに複数の開口を形成し、これらに前記洗浄デッキを通過する空気を流して、前記製品送込み管から前記洗浄デッキに流れる前記混入物を含有する粒状材料から前記混入物を分離することを特徴とする脱塵装置。
【請求項２】
前記ハウジングがさらに平面後壁を有し、この後壁が前記正面ハウジングと連携して前記ハウジングを半円形の円筒体として構成する請求項１に記載の脱塵装置。
【請求項３】
さらに、前記後壁を貫通して、所定量の空気を前記洗浄デッキに送入する空気送込みポート、および前記ハウジングから混入物を含有する空気を排出する空気排出ポートを有する請求項２に記載の脱塵装置。
【請求項４】
前記製品送込みポートが円形で、前記製品送込み管が半円筒形で、そして前記脱塵装置がさらに前記粒状材料の流れを前記製品送込み管に誘導する反らせ板を有する請求項２に記載の脱塵装置。
【請求項５】
前記洗浄デッキが前記後壁に着脱可能である請求項２に記載の脱塵装置。
【請求項６】
さらに、前記洗浄デッキおよび製品送込み管に対して上下動して、前記製品送込み管から前記洗浄デッキに流れる粒状材料の流速を規定する偏向部材であって、この偏向部材の上下動に作用して、前記洗浄デッキ上を流れる粒状材料の流速を調節するアクチュエーター制御式ナイフ部材に接続した偏向部材を有する請求項２に記載の脱塵装置。
【請求項７】
前記洗浄デッキに可動上部部分および固定下部部分を形成し、前記製品送込み管がこれから突出し、かつ前記洗浄デッキの形状に対応する部分円錐形偏向部材であって、前記洗浄デッキの上に位置決めされて、混入物を含有する粒状材料を前記洗浄デッキの表面上に誘導する偏向部材を有し、前記製品送込み管がさらに前記偏向部材と前記製品送込み管との交差点の下に延在するナイフエッジを有し、そして前記洗浄デッキの前記上部部分が前記洗浄デッキを前記ナイフエッジに係合する上昇位置に上下動でき、前記の混入物を含有する粒状材料が前記洗浄デッキ上に移動することを防止する請求項２に記載の脱塵装置。
【請求項８】
前記後壁を貫通して線形アクチュエーターに連動接続し、前記洗浄デッキの前記上部部分の上下動を制御するブラケットに前記上部部分を接続し、前記上部部分が、前記上昇位置と、前記洗浄デッキの前記上部部分が前記ナイフエッジから分離する降下位置との間で移動し、前記上部部分の位置によって前記洗浄デッキの前記下部部分上の混入物を含有する粒状材料の流速を制御できる請求項７に記載の脱塵装置。
【請求項９】
混入物を含有する粒状材料から混入物を洗浄除去する脱塵装置であって、
半円筒形の正面ハウジングおよび平面後壁を有するハウジング、
混入物を含有する粒状材料を前記ハウジングに導入する製品送込み管を有する製品送込みポートおよび粒状材料を前記ハウジングから排出する製品排出ポート、および
前記後壁に対して前記製品送込み管の曲率中心に設けた先端で終端する部分円錐形洗浄デッキであって、前記の混入物を含有する粒状材料の流れをこの部分円錐洗浄デッキに均一に誘導し、前記正面ハウジングから内側に離間する外周底部エッジを有し、前記洗浄デッキと前記正面ハウジングとの間を通過する空気の流れのベンチュリ帯を形成する洗浄デッキを有し、
前記洗浄デッキに複数の開口を形成し、これらに前記洗浄デッキを通過する空気を流して、前記製品送込み管から前記洗浄デッキに流れる前記混入物を含有する粒状材料から前記混入物を洗浄除去することを特徴とする脱塵装置。
【請求項１０】
前記洗浄デッキがさらに、空気が通過して前記ベンチュリ帯に流入する開口を除く前記洗浄デッキの底部分を塞ぐ底部材を有する請求項９に記載の脱塵装置。
【請求項１１】
さらに、前記後壁を貫通し、所定量の空気を前記洗浄デッキに搬送する空気送込みポート、および
前記ハウジングから混入物を含有する空気を排出する空気排出ポートを有する請求項９に記載の脱塵装置。
【請求項１２】
前記排出ポートを前記ハウジングの高い部分に設けるとともに、前記製品送込みポートを取り囲む電磁コイルの両側に設けた請求項１１に記載の脱塵装置。
【請求項１３】
前記洗浄デッキが前記後壁に着脱可能である請求項９に記載の脱塵装置。
【請求項１４】
さらに、前記洗浄デッキおよび製品送込み管に対して上下動して、前記製品送込み管から前記洗浄デッキに流れる粒状材料の流速を規定するナイフ部材に接続した偏向部材を有し、このナイフ部材をフェノール系スライドに取り付けるとともに、前記後壁の対向側に取り付けられた線形アクチュエーターに接続した請求項９に記載の脱塵装置。
【請求項１５】
前記洗浄デッキに可動上部部分および固定下部部分を形成し、前記製品送込み管がこれから突出し、かつ前記洗浄デッキの形状に対応する部分円錐形偏向部材であって、前記洗浄デッキの上に位置決めされて、混入物を含有する粒状材料を前記洗浄デッキの表面上に誘導する偏向部材を有し、前記製品送込み管がさらに前記偏向部材と前記製品送込み管との交差点の下に延在するナイフエッジを有し、そして前記洗浄デッキの前記上部部分が前記洗浄デッキを前記ナイフエッジに係合する上昇位置に上下動でき、前記の混入物を含有する粒状材料が前記洗浄デッキ上に移動することを防止し、前記ナイフエッジに対する前記上部部分の上下動を制御する線形アクチュエーターに前記上部部分を連動接続した請求項９に記載の脱塵装置。
【請求項１６】
混入物を含有する粒状材料から混入物を洗浄除去する脱塵装置であって、
半円筒形の正面ハウジングおよび平面後壁を有するハウジング、
粒状材料を前記ハウジングに導入する半円筒形の製品送込み管を有する円筒形の製品送込みポートおよび粒状材料を前記ハウジングから排出する製品排出ポート、
前記製品送込みポートからの前記粒状材料の流れを前記製品送込み管に誘導する反らせ板、および
前記後壁に着脱可能に取り付け、かつ前記後壁に対して前記製品送込み管の曲率中心に設けた先端で終端し、前記の混入物を含有する粒状材料の流れをこの部分円錐形洗浄デッキに均一に誘導する部分円錐形洗浄デッキであって、複数の開口を形成し、これら開口に空気を流して、この洗浄デッキ上に前記製品送込み管から通過する前記の混入物を含有する粒状材料から混入物を洗浄除去する部分円錐形洗浄デッキ、および
前記洗浄デッキおよび前記製品送込み管に対して上下動し、前記製品送込み管から前記洗浄デッキに流れる粒状材料の流速を規定する偏向部材に結合したナイフ部材であって、前記偏向部材の下に延在するナイフエッジおよび線形アクチュエーターに連動接続され、前記偏向部材および前記ナイフ部材の上下動に作用する一対の横に延在するアクチュエーターウイングを有するナイフ部材を有することを特徴とする脱塵装置。
【請求項１７】
前記正面ハウジングが、前記洗浄デッキにアクセスできる正面アクセスドアを有し、前記洗浄デッキがこの正面アクセスドアを介して前記ハウジングから取り外すことができる請求項１６に記載の脱塵装置。
【請求項１８】
前記洗浄デッキが、前記正面ハウジングから内側に離間し、前記洗浄デッキと前記正面ハウジングとの間に空気を流すためのベンチュリ帯を形成する外周底部エッジを有する請求項１６に記載の脱塵装置。
【請求項１９】
さらに、前記洗浄デッキが、空気が通過し、この洗浄デッキの周縁エッジと前記ハウジングとの間に移動して、粒状材料が前記製品排出ポートに達する前に通過する必要があるベンチュリ帯を形成する開口を除いた前記洗浄デッキの底部部分に締め付ける底部材を有する請求項１６に記載の脱塵装置。
【請求項２０】
前記線形アクチュエーターが、前記後壁の後側を横断して延在し、前記ナイフ部材の２つのアクチュエーターウイングを係合するリフトラックに連動係合し、前記アクチュエーターウイングの同時移動に影響を与える請求項１６に記載の脱塵装置。
【発明の詳細な説明】
【技術分野】
【０００１】
本明細書に開示する発明は、全体としてはプラスチックペレット、リグラインド（粉砕再生材料）、タブレット、穀物、鉱物などの粒状材料から混入物（汚染物）を洗浄除去し、これらを処理することに、具体的には半円形の円筒形で構成して、効果的な操作能力を実現した脱塵装置に関する。
【背景技術】
【０００２】
特に、通常粗い粉末、粒子、ペレットなどの粒状材料を輸送し、これらを利用する分野では、混入物を可能な限り製品粒子から除去しておくことが重要であることはよく知られている。微粒子は、ある設備、即ちある意味流体のように振る舞う材料の流れを実際発生する圧力を付加した管状システムにおいて混合され、パッケージ化されるか、あるいは使用される設備内において通常搬送されるものである。これら微粒子がパイプ内を移動している間、粒子間だけでなく、管壁部と流れ内にある粒子との間にもかなりの摩擦が発生する。この摩擦が発生すると、粒状粉塵、破壊された粒子、綿くずやストリーマーが発生する（なお、このストリーマーは物質流れを邪魔し、あるいは流れを完全に塞ぐことになるきわめて長く、絡まった塊に“成長”するリボン状要素である）。このような搬送システムの特性については、製品粒子からできるだけ混入物を除去しておく重要性および価値と同様に、よく知られている。
【０００３】
本明細書で使用する用語“混入物”には、広範囲の異物だけでなく、既に記載した破壊された粒子、粉塵、綿くずやストリーマーが含まれる。いずれにせよ、混入物は高品質製品の製造にとって有害であり、場合によっては、製造サイドの従業員の健康を脅かすものである。極端な場合には、点火源に暴露された場合に爆発することもある粉塵雲を発生する恐れに繋がる。
【０００４】
製品品質を考えると、そして一次的な実例として成型可能なプラスチックに焦点を合わせる限り、一次的な材料とは組成が異なる、例えば粉塵、一次製品の非均質な材料、綿くずやストリーマーなどの異物は、その融点が一次製品とは必ずしも同じではなく、材料の融解および成形時に傷が発生する。これら傷が発生すると、最終製品の色が不揃いになり、また最終製品が泡を有することになり、時には最終製品に傷または汚れが生じ、販売できなくなることもある。射出成形機の場合には、熱によって粉塵が蒸発し、最終製品に小さな気泡が生じる傾向が出る。また熱によって粉塵が燃焼し、“黒点（ｂｌａｃｋ  ｓｐｏｔｓ）”の原因になる。これは、実際には炭化粉塵である。時には、射出成形機の粉塵ポケット（ｄｕｓｔ  ｐｏｃｋｅｔ）が溶解せず、通常“ソフトスポット（軟点、ｓｏｆｔ  ｓｐｏｔｓ）”あるいは“白点（ｗｈｉｔｅ  ｓｐｏｔｓ）”と呼ばれている欠陥の原因になる。なお、これら同じ非均質材料は一次製品と同じ温度で溶解することが少ないため、溶解しない混入物が成形機の摩擦および早すぎる摩耗を引き起こし、稼動不能時間および製造不能時間を原因として、生産性が低下し、保守の増大、全生産コストの増加の憂き目にあうことを知っておくことは大切である。
【０００５】
Ｊｅｒｏｍｅ  Ｉ．Ｐａｕｌｓｏｎに１９９１年７月３０日に付与されたＵＳＰ５，０３５，３３１に開示されているような従来の粒状材料脱塵装置の場合、装置内に傾斜平面として形成され、かつ内部に開口を備えた第１洗浄デッキおよび第２洗浄デッキを利用する。これら開口から加圧空気が、洗浄デッキにそって流れる粒状材料を通過する。これら２つの洗浄デッキの間において、粒状材料がベンチュリ帯（Ｖｅｎｔｕｒｉ  ｚｏｎｅ）を通過し、これら粒子物質が洗浄デッキ上の粒状材料に流れる空気と結合し、粉塵およびその他の混入物を上方に排出し、空気流れが装置から排出される。
【０００６】
Ｊｅｒｏｍｅ  Ｉ．Ｐａｕｌｓｏｎ、Ｈｅｉｎｚ  ＳｃｈｎｅｉｄｅｒおよびＰａｕｌＷａｇｎｅｒに２００８年６月３日に付与されたＵＳＰ７，３８０，６７０に開示されているコンパクトな脱塵装置は、連続的な洗浄デッキ体を備え、洗浄デッキおよびベンチュリ帯を倍増することによって高容量化しているが、流入する粒状材料を２つの洗浄デッキ体の間において等分する必要がある。ＵＳＰ５，０３５，３３１およびＵＳＰ７，３８０，６７０のいずれにおいても、磁束場を流入する粒状材料に印加し、混入物を粒状ペレットに引き寄せる静電荷を中性化し、洗浄デッキの粒状材料から混入物を分離する動作を強化している。
【０００７】
Ｈｅｉｎｚ  ＳｃｈｎｅｉｄｅｒおよびＰａｕｌ  Ｗａｇｎｅｒに２０１２年１１月２０日に付与されたＵＳＰ８，３１２，９９４に開示されている脱塵装置は、全体形状としては円筒形であり、流入した粒状材料が逆円錐形洗浄デッキ上を通過して、円錐形洗浄デッキの円周周囲に３６０度延在する流路に洗浄空気の流れを与える構造である。構成トレランス（ｃｏｎｓｔｒｕｃｔｉｏｎ  ｔｏｌｅｒａｎｃｅｓ）があるため、粒状材料の流れが円錐形洗浄デッキの全周に必ずしも均質に流れず、この結果として、操業効率が多数の従来脱塵装置よりも高いと見なされている場合にも、操業効率が低下する。
【０００８】
このように、粒状材料の流れおよび洗浄空気流れを半円錐形洗浄デッキに集中させ、脱塵装置の全体サイズを大きくすることなく、大量の粒状材料から混入物を分離する半円筒形脱塵装置の実現が求められている。また、円筒形脱塵装置に使用されている通常の円錐形洗浄デッキと同様な洗浄デッキおよびベンチュリ帯稼動を実現して、混入物洗浄操業稼動を適正化することも依然として求められている。
【先行技術文献】
【特許文献】
【０００９】
【特許文献１】ＵＳＰ５，０３５，３３１
【特許文献２】ＵＳＰ７，３８０，６７０
【特許文献３】ＵＳＰ８，３１２，９９４
【発明の概要】
【００１０】
本発明の一つの目的は、脱塵装置を通過する粒状材料から粉塵およびデブリの除去効率を改善した粒状材料脱塵装置を提供することである。
【００１１】
本発明のもう一つの目的は、処理量または処理品質を犠牲にすることない操業が簡単な粒状材料脱塵装置を提供することである。
【００１２】
本発明の一つの特徴は、洗浄デッキを半円錐形、あるいは部分円錐形として構成した点にある。
【００１３】
本発明の一つの作用効果は、洗浄デッキを取り囲むハウジングを半円形円筒体として構成した点にある。
【００１４】
本発明のもう一つの作用効果は、脱塵装置の製造コストが、完全円筒形構成の場合よりも低くなる点にある。
【００１５】
本発明のもう一つの特徴は、材料送込み開口を一部が円錐形洗浄デッキの形状に合わせて半円形円筒体として形成できるか、好ましくは洗浄デッキを部分円錐体として形成した場合にも完全な円形送込み開口として形成できる点にある。
【００１６】
本発明のさらにもう一つの特徴は、洗浄後の製品送り出しポートも部分円錐形洗浄デッキの形状に一致する半円形洗浄デッキとして形成できるが、完全な円形の製品送込み開口に対応する完全な円形の送り出し開口として形成するのが好ましい点にある。
【００１７】
本発明のさらにもう一つの特徴は、洗浄デッキおよび偏向部材がハウジング構造体から取り外し可能な点にある。
【００１８】
本発明のさらにもう一つの作用効果は、洗浄デッキおよび偏向部材が、ハウジング構造体の正面ドアを介してハウジングから取り外すことができる点にある。
【００１９】
本発明のさらにもう一つの作用効果は、洗浄デッキおよび偏向部材を取り外した状態で、ハウジングの内部の洗浄を容易にできる点にある。
【００２０】
本発明のさらにもう一つの特徴は、洗浄デッキおよびベンチュリ帯を通過する、混入物含有空気が、空気送込みポートと空気排出ポートとの間に圧力差があるため、ハウジングの上部に連続的に流れる点にある。
【００２１】
本発明のもう一つの特徴は、偏向部材が洗浄デッキに対して上下動し、洗浄デッキの表面上に流れる粒状材料の流速を制御できる点にある。
【００２２】
本発明のさらにもう一つの特徴は、偏向構造体に、アクチュエーターに連動接続した垂直ナイフ部材を形成した点にある。
【００２３】
本発明のさらにもう一つの作用効果は、脱塵装置を通過する粒状材料の流れを遠隔制御できる点にある。
【００２４】
本発明のさらなる特徴は、製品送込みポートを取り囲む電磁コイルの両側においてハウジングの後プレート（ｒｅａｒ  ｐｌａｔｅ）の開口を介して混入物を含有する空気を排出する点にある。
【００２５】
本発明のさらにもう一つの目的は、粒状材料から混入物を分離することで粒状材料を洗浄する脱塵装置であって、半円筒形の正面ハウジングおよび平面後壁を有するハウジング、粒状材料を上記ハウジングに導入する製品送込み管を有する製品送込みポートおよび粒状材料を上記ハウジングから排出する製品排出ポート、および上記後壁に対して上記製品送込み管の曲率中心に設けた先端で終端する部分円錐形洗浄デッキを有し、上記の混入物を含有する粒状材料の流れをこの部分円錐形洗浄デッキに均一に誘導する脱塵装置を提供することである。
【００２６】
本発明のさらなる目的は、回収後の粉塵およびデブリに関する構成がコンパクトな上に、耐久性があり、製造コストが低く、保守点検が不要で、組立が容易かつ使用が簡単な上に効率的なコンパクトな脱塵装置を提供することにある。
【００２７】
以上の目的およびこれ以外の目的、以上の特徴およびこれ以外の特徴、および以上の作用効果およびこれ以外の作用効果は本発明によって実現できる。即ち、脱塵装置の内部を通過する粒状材料から粉塵およびデブリを除去する半円形の脱塵装置によって提供できる。この脱塵装置の構成は半円形の円筒形ハウジングを有し、このハウジング内に、上下動して洗浄デッキ上に流れる粒状材料の流速を調節・変更できる逆円錐形で部分円錐形の偏向部材を有する部分円錐形洗浄デッキを設ける。製品送込みポートは好ましくは円形で、混入物を含有する粒状材料を偏向部材内部に誘導し、洗浄デッキの表面上に流す。ハウジングの直径は洗浄デッキの最大直径よりも大きいため、洗浄デッキの円周周囲にベンチュリ帯が形成される。洗浄デッキおよび偏向部材がハウジング内に着脱でき、これらを取り外すと、洗浄デッキの洗浄が容易になり、またハウジング内部の洗浄も容易になる。
【図面の簡単な説明】
【００２８】
本発明の作用効果については、特に添付図面を参照して以下の本発明の詳細な説明を読めば明らかになるはずである。
【図１】本発明の原理に従って構成した半円形の円筒形脱塵装置を示す左側面図である。
【図２】図１に示した半円形の円筒形脱塵装置を示す正面図である。
【図３】図１および図２に示した半円形の円筒形脱塵装置を示す右側面図である。
【図４】半円形の脱塵装置を示す後面図である。
【図５】半円形の円筒形脱塵装置を示す上面図である。
【図６】半円形の円筒形脱塵装置を示す底面図である。
【図７】半円形の円筒形脱塵装置を示す右後面斜視図である。
【図８】半円形の円筒形脱塵装置を示す左後面斜視図である。
【図９】半円形の円筒形脱塵装置を示す右正面図である。なお、洗浄デッキおよび粒子状材料の流入を正面図で示すために半円筒形の正面ハウジングを切り欠いてある。
【図１０】図９に示した半円形の円筒形脱塵装置を示す後面図である。なお、洗浄デッキ装置の後面、空気の流入/流出装置、および粒状材料供給装置を明示するために後壁をさらに切り欠いてある。
【図１１】図１０に示した半円形の円筒形脱塵装置を示す右斜視図である。なお、粒状材料送込みポートおよび洗浄デッキの半円形円周の周囲に延在するベンチュリ帯を明示するために正面ハウジングおよび後壁を切り欠いてある。
【図１２】図１０および図１１に示した半円形の円筒形脱塵装置を示す下側後面斜視図である。なお、空気送込み口および洗浄デッキの外周にベンチュリ帯を形成する構造を明示するために正面ハウジングおよび後壁を切り欠いてある。
【図１３】洗浄デッキの正面図である。
【図１４】脱塵装置を示す拡大斜視図である。なお、洗浄デッキから脱塵装置を通って流れる粒状材料の流速を制御する流れ制御機構の別な構成を示すためにハウジングの一部を切り欠いてある。
【図１５】図１３に示した脱塵装置を示す後面図であり、流れ制御機構のアクチュエーターを示す図である。
【図１６】脱塵装置の側面図である。なお、別な拡大製品排出ポート構成を示すために、図１３に示すように、ハウジングの一部を切り欠いてある。
【図１７】脱塵装置を示す正面図である。なお、製品送込みポートを通過する粒状材料に印加される磁束を与える電磁コイルの高さにある混入物を含む空気の排出ポートの別な向きを示すためにハウジングの一部を切り欠いてある。
【図１８】別な製品流れ制御装置を示す一部断面を含む詳細図である。
【図１９】図１８における円１９に相当する別な製品流れ制御装置を示す一部断面を含む拡大図である。なお、粒状材料が製品送込みポートから部分円錐形洗浄デッキに流れるように各構成部材を位置決めしてある。
【図２０】図１８における円１９に相当する別な製品流れ制御装置を示す一部断面を含む拡大図である。なお、粒状材料が製品送込みポートから部分円錐形洗浄デッキに流れないように各構成部材を位置決めしてある。
【発明を実施するための形態】
【００２９】
図１〜図８を参照して説明すると、これら図面は本発明の原理に従って構成した半円形の円筒形脱塵装置を明示する図面である。この半円形の円筒形脱塵装置は、２０１２年１１月２０日にＨｅｉｎｚ  ＳｃｈｎｅｉｄｅｒおよびＰａｕｌ  Ｗａｇｎｅｒに付与されたＵＳＰ８，３１２，９９４に開示されている公知脱塵技術を利用する装置で、この技術は全体的な原理は、１９９１年６月３日にＪｅｒｏｍｅ  Ｉ．Ｐａｕｌｓｏｎに付与されたＵＳＰ５，０３５，３３１に開示されている脱塵技術と同じであり、スロット付きの傾斜洗浄デッキを流れる加圧空気の流路および粒状材料が通過するベンチュリ帯を流れる空気の流路を有する。なお、これら公知の混入物洗浄除去技術は、当技術分野で今まで知られていない異なる構成で体系化されている。
【００３０】
脱塵装置１０は形状および形態が全体として半円筒形であり、円形の正面部分の終端が後壁１５である。ハウジング１２は正面ハウジング１３を有する。正面ハウジング１３を有するこのハウジング１２は、図５において上から見た場合、全体として半円形であり、正面アクセスドア１４を正面ハウジング１３にヒンジし、かつラッチして正面ハウジング１３に対して気密を保つ。この正面アクセスドア１４があるため、正面ハウジング１３の内側にある後壁１５に取り付けられた洗浄デッキ２０にアクセスできる。ハウジング１２の下部分が正面ハウジング１３から後方に傾斜しているため、洗浄後の粒状材料を排出開口３５に送り出すことができる。ハウジング１２の後部は、円形の粒状材料送込みポート３０の中心に対して実質的に位置を合わせた後壁１５である。電源やその他の制御素子の制御ボックス１９を後壁１５の後に支持する。
【００３１】
図１３にも示されている洗浄デッキ２０は、逆半円錐体であり、複数の開口２３が洗浄デッキ２０の全円周面の周囲に延在し、以下詳細に説明するように、洗浄デッキ２０上を通過する粒状材料に空気流れを誘導する。洗浄デッキ２０については、後壁１５を貫通する締付具２１によって後壁１５に着脱自在に取り付ける。後壁１５の洗浄デッキ２０の真後ろにある部分が不透過性であるため、以下に記載するように、洗浄デッキに流入する空気が正しい方向に向き、洗浄デッキ２０の外周面２２を通過する粒状材料を洗浄する。また、洗浄デッキ２０には底部材２６を形成し、これによってベンチュリ帯２５に流入する洗浄用空気の流れを形成する操作が可能になる。
【００３２】
洗浄デッキ２０の開口２３については、空気流れが洗浄デッキ２０を均一に流れるように形成し、粒状材料送込みポート３０からの洗浄デッキ２０上を通過する粒状材料から混入粒子を除去する。図面には洗浄デッキ２０の開口２３を離散的な線で示すが、当業者ならば、他の開口分布パターンによっても洗浄デッキ２０を通る空気流れの異なる分布やより効率的な分布を作り出すことができることを理解できるはずである。即ち、図面に示した洗浄デッキ２０の開口２３の記載は、限定的なパターンを示しているのではなく、開口付き洗浄デッキ２０の概略を示すものである。
【００３３】
洗浄デッキ２０の先端２４は、製品送込みポート３０から粒状材料を搬送する製品送込み管３３の中心点において後壁１５に隣接配置する。部分円錐形偏向部材３４については、洗浄デッキ２０の形状に合わせ、製品送込み管３３の端部において後壁１５に取り付け、洗浄デッキ２０および製品送込み管３３両者に対して上下に位置決めできるようにする。偏向部材３４が上下動すると、図１３に明示するように、十分に下げて洗浄デッキ２０の表面２２に係合した場合のゼロ間隔から偏向部材３４と洗浄デッキ２０の外周面２２との間の間隙３３ａの寸法が変化する。偏向部材３４の位置によって、洗浄デッキ２０の外周面２２上を通過する粒状材料の流速を制御する。
【００３４】
偏向部材３４の好適な実施態様を図１３に明示する。偏向板フランジ（ｄｅｆｌｅｃｔｏｒ  ｆｌａｎｇｅ）３４ｃおよび製品送込み管３３は後壁１５に対して固定し、かつ相互に可動できないようにする。部分円錐形偏向板３４ａは、後壁１５内に形成したスロット（図示省略）内に受け取られる締付具およびプレート３４ｂによって後壁１５に固定するため、後壁１５に対して、従って偏向板フランジ３４および製品送込み管３３に対して部分円錐形偏向板３４ａが上下に移動できる。部分円錐形偏向板３４ａの上下動によって、部分円錐形偏向板３４ａと偏向板フランジ３４との開口即ち間隙３３ａの寸法が変化するため、洗浄デッキ２０の周面２２への粒状材料の流速を、図１３に実線で示すゼロ流動（ｚｅｒｏ  ｆｌｏｗ）から図１３に想像線で示すフル流動（ｆｕｌｌ  ｆｌｏｗ）まで制御できる。当業者ならば、偏向部材３４および関係する構成部分３３、３４ａの他の構成も図１３に示す具体的な構造と同じ作用効果を発揮できることを認識できるはずである。
【００３５】
正面ハウジング１３の最上部では、後壁１５が、図９に明示するように、製品送込み管３３の側において開放するため、空気流れが、以下に詳しく記載するように、正面ハウジング１３から流出し、脱塵装置１０から排出する。排出された空気をマニホルド４６が回収し、混入物を含有した空気の流れを空気排出ポート４５に誘導し、離れた位置でさらに処理する。空気送込みポート４０を空気排出ポート４５の下に設け、洗浄用空気の流れを洗浄デッキ２０に送り、以下に詳しく記載するように洗浄操作を行う。
【００３６】
粒状材料送込みポート３０は脱塵装置１０の上部に設けるが、このポートは従来の方法で供給ホッパー（図示省略）に接続する円形取り付けフランジ３１を有し、これによって所定量の粒状材料を脱塵装置１０に送る。上部取り付けフランジ３１についてはハウジング１２の上に間をおいて設けることが好ましく、従来公知なように、粒状材料と混入物粒子との間の正電荷を中性化し、かつ洗浄デッキ２０の洗浄操作を強化する動作が可能な磁束場を発生する電磁コイル３２の取り付け位置を確保できる。ハウジング１２の下部は、粒状材料排出ポート３５で終端する。このポートには洗浄後の粒状材料を受け取る回転弁（図示省略）などの装置を取り付ける取り付けフランジ３６を組み込む。
【００３７】
空気送込みポート４０は、加圧下にある所定量の汚れのない空気を後壁１５から洗浄デッキ２０の後側に送り、洗浄デッキ２０の開口２３に流入させ、洗浄デッキ２０上を通過する粒状材料から混入物粒子を除去する。洗浄デッキ２０を流れる空気流れは、これに捕捉された、除去すべき混入物粒子とともに脱塵装置１０から上方に移動し、後壁１５の開口を通って、空気排出ポート４５から外側に向かって流出する。また、図１１および図１２に明示するように、空気は洗浄デッキ２０の底部材２６の開口２７を通って流れ、底部材２６の周囲に流れ、洗浄デッキ２０の底部外周と正面ハウジング１３との間の間隙を通って上向きに流出する。洗浄デッキ２０と正面ハウジング１３との間にあるこの間隙を通る汚れのない空気が、洗浄デッキ２０から落下する粒状材料の流れから混入物粒子が残留している場合にこれを除去するために有効なベンチュリ帯２５を作り出す。次に、洗浄後の粒状材料がこの後粒状材料排出ポート３５に落下し、ここで適切な処理を受ける。
【００３８】
洗浄デッキ２０が半円錐形であり、また粒状材料が円形の取り付けフランジ３１を通過して脱塵装置１０に流入し、洗浄されるため、脱塵装置１０の送込み構造によって粒状材料の流れを製品送込み管３３である半円形の開口に誘導することができる。この半円形の送込み開口は洗浄デッキの部分円錐形構成にマッチできる許容可能な構成ではあるが、以下に詳しく記載するように、完全円形の送込み開口のほうが好ましい。このためには、磁気コイル３２の位置決め状態に対応する取り付けフランジ３１とハウジング１２との間の送り込み構造にそらせ板３７を設け、洗浄すべき粒状材料の流れを製品送込み管３３に、洗浄デッキ２０の外面２２に分散するようにその方向を決定する。図６、図８および図１２に明示するように、製品排出ポート３５についても、取り付けられた受け取り装置（図示省略）に接続する半円形の開口であればよいが、図１６および図１７に示すように、完全円形の開口のほうが好ましい。
【００３９】
脱塵装置１０を洗浄し、かつ保守するために、洗浄デッキ２０は偏向部材３４と同様に後壁１５から取り外し可能であり、また正面アクセスドア１４を介して取り外し可能であるため、ハウジング１２とは別に洗浄することが可能になる。内部構造２０、３４を取り外すと、製品送込み管３３から製品排出開口３５に至るハウジング１２の内部の洗浄が容易になる。
【００４０】
稼動時、取り付けフランジ３１を介して混入物を含む粒状材料を製品送込み構造３０に供給し、反らせ板３４に送り込み、ここで粒状材料を半円筒形の製品送込み管３３に送り込む。洗浄デッキ２０の先端２４が製品送込み管３３の曲率中心において後壁１５に位置しているため、粒状材料は偏向部材３４の下にある洗浄デッキ２０の外周面２２の全体に均一に拡散する。洗浄デッキ２０に対する偏向部材３４の位置に応じて洗浄デッキ２０上の粒状材料の流速が決まるが、この位置が粒状材料の移動も制御するため、洗浄デッキ２０の外面２２上の粒状材料の流れが層流状態になる。
【００４１】
粒状材料が洗浄デッキ２０上を通過している間、洗浄用空気の流れが開口２３、次に粒状材料の流れを通過するため、粒状材料から粉塵、デブリやその他の混入物を除去できる。最後に、粒状材料が洗浄デッキ２０の底部に達し、洗浄デッキからベンチュリ帯２５に落下する。このベンチュリ帯には洗浄用空気の別な流れが落下している粒状材料を通過するため、混入物が残留している場合にはこれを除去する。ベンチュリ帯２５を通過した後、洗浄後の粒状材料は製品排出ポート３５から流出し、各用途に回される。洗浄デッキ２０およびベンチュリ帯２５を通過した混入物を含有する空気は、空気送込みポート３０と空気排出ポート３５との間に圧力差があるため、ハウジング１２の上部まで上昇を続け、後壁１５の上部にある開口から混入物をマニホルド４６に運び出し、空気排出ポート３５から流出する。
【００４２】
流れ制御機構５０の別な構成については、図１４および図１５に明示する。偏向部材５４は円錐台形状であり、その長さは図１〜図１３に示したものよりも短い。ナイフ部材５１には円錐台形部分５２を形成する。この円錐台形部分は偏向部材５４に係合し、かつこれに取り付けられ、また円錐台形部分５２の両側において横に延在する一対のアクチュエーターウイング５３に係合する。これらアクチュエーターウイング５３については、以下に詳しく記載するように、後壁１５の後側に取り付けられるアクチュエーター機構５５に接続する。各アクチュエーターウイング５３は、減摩性スライド５６に係合する後壁１５の内側に支持され、後壁１５の後側に取り付けられたアクチュエーター５９の動作によってナイフ部材５１の上下動を容易にするものである。
【００４３】
図１５に明示するアクチュエーター機構５５は、アクチュエーターウイング５３間に延在し、後壁１５に形成された対応スロットによってアクチェーターウイング５３に接続したリフトラック（ｌｉｆｔ  ｒａｃｋ）５７を有する。線形アクチュエーター５９については、後壁１５の後側に支持するとともに、リフトラック５７のリフトハンドル５８に係合し、リフトラック５７の上下動を行うように位置決めする。線形アクチュエーター５９の動力源は油圧でもよく、電気でもよいが、空気圧が好ましい。ナイフ部材５１が動作して、最大上昇位置と洗浄デッキ２０の上に偏向部材５４を設ける降下位置との間において洗浄デッキ２０の表面に対して偏向部材５４を上下動させて、粒状材料のすべての流れを完全に止める。円錐台形部分５２は製品送込み管３３の外面に乗り上げ、ナイフ部材がその下降位置に下降したときに粒状材料を製品送込み管３３内に捕捉した状態におく。
【００４４】
図１６から見て取れるように、混入物を含有する空気は空気排出ポート６１、６２から排出できる。これらポートについては、電磁コイル３２の正面側を取り囲み、かつ電磁コイル３２の両側において後壁１５を介して製品排出ポート３５上に同じ高さにある排出開口を形成するハウジング１２の延在部分に位置決めする。混入物を含有する空気の排出ポート６１、６２が空気送込みポート４０よりも小さい排出領域を形成する結果、排出ポート６１、６２における気流速度が上がり、従って混入物を含有する空気の流れに同伴する粉塵およびデブリの排出作用を強める小さな真空が作られる。図１６には、完全な円形の製品排出ポート３５を形成する傾斜した下方後壁を有し、ハウジング１２からの粒状材料の排出作用を強化したハウジングの構成を示す。この構成は、粒状材料を部分円錐形洗浄デッキ２０に搬送する完全な円形の製品送込み開口３０に対応する。
【００４５】
図１８〜図２０に、第２の別な粒状材料流れ制御機構７０を明示する。この構成における製品送込み管３３は、偏向部材５４と製品送込み管３３との交差点のわずか下に延在する半円形ナイフエッジ７１として終端する。このナイフエッジ７１は洗浄デッキ２０の上部部分７２の形状に一致する半円形部材として形成するため、洗浄デッキ２０の周囲に均一にある上部部分７２の表面に係合する。洗浄デッキ２０は可動上部部分７２および固定下部部分７３に分割され、いずれにも上記のように洗浄デッキ２０上の粒状材料の移動に対応して洗浄用空気を流すことができるスロットを形成する。洗浄デッキ２０の上部部分７２については、後壁１５を貫通するブラケット７４によって線形アクチュエーター５９、好ましくは空気圧式シリンダーに接続する。このように、空気圧式シリンダー５９の延在部分を操作することによって、下部部分７３に対する洗浄デッキ２０の上部部分７２の位置を制御できる。
【００４６】
図１９および図２０に示すように、洗浄デッキ２０の上部部分７２については、これを下げて固定下部部分７３に係合させ、半円形のナイフエッジ７１と洗浄デッキ２０の上部部分７２の表面との間に間隙を空けることができるため、製品送込み管３３から粒状材料を洗浄デッキ２０の表面に流すことができ、従って上記のように洗浄できる。洗浄デッキ２０の上部部分７２を上昇位置に設定すると、上部部分７２が半円形のナイフエッジ７１に係合する。この係合およびナイフエッジ７１の形状によって、図２０に示すように、製品送込み管３３からの粒状材料の移動が終了する。当業者ならば、洗浄デッキ２０の上部部分７２については、図１９および図２０に示す中間位置に位置決めすると、洗浄デッキ２０の表面上の粒状材料の流速を制御できることを認識できるはずである。
【００４７】
洗浄デッキ２０の固定下部部分７３については、その上部境界で閉じておくのが好ましく、このように構成すると、粒状材料が上部部分７２の周囲から上部部分７２と下部部分７３との間の間隙に流入することがなくなり、洗浄デッキ２０の外面に粒状材料を流すことによって洗浄をバイパスできる。上部部分７２の下部周辺エッジについては、下部部分７３にわずかにオーバーラップさせてもよく、あるいはわずかにカールしたリップを設けてもよく、粒状材料を上部部分７２と下部部分７３との間の間隙から離間でき、粒状材料が上部部分７２と下部部分７３との間の間隙に流入することをさらに確実に防止できる。このナイフエッジ７１については、以上詳しく説明してきたように、別な流れ制御機構５０に組み込むこともでき、洗浄デッキ２０に確実に係合させることが可能になる。
【００４８】
本発明の本質を説明するために記載し、かつ図示した細部、物質（材料）、工程および構成などを適宜変更できることは、本発明の範囲の原理内において、当業者にとっては自明な事柄であるはずである。以上の説明は本発明の好ましい実施態様を記述するものであるが、本明細書の記載に基づいて、本発明の技術思想は、本発明の範囲から逸脱することなく他の実施態様に利用できるものである。従って、特許請求の範囲は本発明を広く保護するだけでなく、以上説明してきた具体的な形態をも保護するものである。
【符号の説明】
【００４９】
１０：脱塵装置
１２：ハウジング
１３：正面ハウジング
１４：正面アクセスドア
１５：後壁
１９：制御ボックス
２０：洗浄デッキ、内部構造
２１：締付具
２２：外周面、表面、外面
２３、２７：開口
２４：先端
２５：ベンチュリ帯
２６：底部材
３０：送込みポート、送込み構造、開口
３１、３６：フランジ
３２：電磁コイル
３３：送込み管
３３ａ：間隙
３４：偏向部材、偏向板フランジ
３４ａ：偏向板
３４ｂ：プレート
３４ｃ：偏向板フランジ
３５：排出開口、排出ポート
３７：そらせ板
４０：送込みポート
４２、５４：偏向部材
４５、６１、６２：排出ポート
４６：マニホルド
５０、７０：流れ制御機構
５１：ナイフ部材
５２：円錐台形部分
５３：アクチュエーターウイング
５５：アクチュエーター機構
５６：減摩性スライド
５７：リフトラック
５８：リフトハンドル
５９：アクチュエーター、シリンダー
７１：ナイフエッジ
７２：上部部分
７３：下部部分
７４：ブラケット
【図１】
2018196882.tif 000003
【図２】
2018196882.tif 000004
【図３】
2018196882.tif 000005
【図４】
2018196882.tif 000006
【図５】
2018196882.tif 000007
【図６】
2018196882.tif 000008
【図７】
2018196882.tif 000009
【図８】
2018196882.tif 000010
【図９】
2018196882.tif 000011
【図１０】
2018196882.tif 000012
【図１１】
2018196882.tif 000013
【図１２】
2018196882.tif 000014
【図１３】
2018196882.tif 000015
【図１４】
2018196882.tif 000016
【図１５】
2018196882.tif 000017
【図１６】
2018196882.tif 000018
【図１７】
2018196882.tif 000019
【図１８】
2018196882.tif 000020
【図１９】
2018196882.tif 000021
【図２０】
2018196882.tif 000022
【外国語明細書】
2018196882.tif 000023
2018196882.tif 000024
2018196882.tif 000025
2018196882.tif 000026
2018196882.tif 000027
2018196882.tif 000028
2018196882.tif 000029
2018196882.tif 000030
2018196882.tif 000031
2018196882.tif 000032
2018196882.tif 000033
2018196882.tif 000034
2018196882.tif 000035
2018196882.tif 000036
2018196882.tif 000037
2018196882.tif 000038
2018196882.tif 000039
2018196882.tif 000040
2018196882.tif 000041
2018196882.tif 000042
2018196882.tif 000043
2018196882.tif 000044
2018196882.tif 000045
2018196882.tif 000046
2018196882.tif 000047
2018196882.tif 000048
2018196882.tif 000049
2018196882.tif 000050
2018196882.tif 000051
【図１】
2018196882.tif 000052
【図２】
2018196882.tif 000053
【図３】
2018196882.tif 000054
【図４】
2018196882.tif 000055
【図５】
2018196882.tif 000056
【図６】
2018196882.tif 000057
【図７】
2018196882.tif 000058
【図８】
2018196882.tif 000059
【図９】
2018196882.tif 000060
【図１０】
2018196882.tif 000061
【図１１】
2018196882.tif 000062
【図１２】
2018196882.tif 000063
【図１３】
2018196882.tif 000064
【図１４】
2018196882.tif 000065
【図１５】
2018196882.tif 000066
【図１６】
2018196882.tif 000067
【図１７】
2018196882.tif 000068
【図１８】
2018196882.tif 000069
【図１９】
2018196882.tif 000070
【図２０】
2018196882.tif 000071